(57)【要約】【課題】操作荷重を重くすることなく、２つのコードをヘッドレール内に配回し、ルーバーをヘッドレールの端部まで移動させることができる縦型ブラインドを提供する。【解決手段】ヘッドレール１０内を移動可能な複数のキャリア１２の各々からルーバーを吊下し、複数のキャリア１２のうち２つのキャリアが第１マスタキャリア１２Ａと第２マスタキャリア１２Ｂとなっており、ヘッドレール１０内には、第１マスタキャリア１２Ａを移動させるための無端状第１コード１６が配回しされると共に、該無端状第１コード１６の内側を第２マスタキャリア１２Ｂを移動させるための無端状第２コード１８が配回しされており、ヘッドレール１０の一端部において、無端状第１コード１６は転回式ガイド３２によって折り返される一方で、無端状第２コード１８は、該転回式ガイド３２の斜め下方または下方において、スロープ式ガイド３４によって下方へと傾斜してヘッドレール１０から導出される。【選択図】  図３
2004346655.tif 000002
【特許請求の範囲】
【請求項１】
ヘッドレール（１０）内を移動可能な複数のキャリア（１２）の各々からルーバー（１４）を吊下した縦型ブラインドにおいて、
複数のキャリア（１２）のうち２つのキャリアが第１マスタキャリア（１２Ａ）と第２マスタキャリア（１２Ｂ）となっており、ヘッドレール（１０）内には、第１マスタキャリア（１２Ａ）を移動させるための無端状第１コード（１６）が配回しされると共に、該無端状第１コード（１６）の内側を第２マスタキャリア（１２Ｂ）を移動させるための無端状第２コード（１８）が配回しされており、ヘッドレール（１０）の一端部において、無端状第１コード（１６）は転回式ガイド（３２）によって折り返される一方で、無端状第２コード（１８）は、該転回式ガイド（３２）の斜め下方または下方において、スロープ式ガイド（３４）によって下方へと傾斜してヘッドレール（１０）から導出されることを特徴とする縦型ブラインド。
【請求項２】
前記無端状第２コード（１８）は、前記スロープ式ガイド（３４）によってヘッドレール導出口（３４ｃ）まで誘導されており、該ヘッドレール導出口（３４ｃ）は、転回式ガイド（３２）の下部に配置されることを特徴とする請求項１記載の縦型ブラインド。
【請求項３】
前記ヘッドレール（１０）内において、無端状第１コード（１６）と無端状第２コード（１８）とは、高さ方向で互いにラップする高さに配置されることを特徴とする請求項１または２記載の縦型ブラインド。
【請求項４】
前記転回式ガイド（３２）は、無端状第１コード（１６）の折り返しを誘導する円弧部（３２ｂ）を有することを特徴とする請求項１ないし３のいずれか１項に記載の縦型ブラインド。
【発明の詳細な説明】
【０００１】
【発明の属する技術分野】
本発明は、縦型ブラインドに関する。
【０００２】
【従来の技術】
従来、縦型ブラインドにおいて、ヘッドレール内に、無端状第１コードと無端状第２コードとが配回しされるものが知られている。例えば、特許文献１に示されるものでは、ヘッドレール内を移動可能な複数のキャリアのうち、ヘッドレールの一端側に位置するキャリアを第１ランナー群とし、ヘッドレールの他端側に位置するキャリアを第２ランナー群として、第１ランナー群を移動させるための無端状第１コードと、第２ランナー群を移動させるための無端状第２コードとを備えている。第１コードは、第１ランナー群の先頭ランナーに連結されており、第２コードは、第２ランナー群の先頭ランナーに連結されている。第１コードを操作することにより、第１ランナー群をヘッドレールの一端側から他端側へと引き出して第１ランナー群のランナーを等間隔にすることができ、または第１ランナー群をヘッドレールの一端側へと畳み込むことができる。また、第２コードを操作することにより、第２ランナー群をヘッドレールの他端側から一端側へと引き出して第２ランナー群のランナーを等間隔にすることができ、または第２ランナー群をヘッドレールの他端側へと畳み込むことができる。
【０００３】
この第１コードと第２コードは、それぞれヘッドレール内において各ランナーの上方を案内され、第１コードと第２コードのいずれか一方がヘッドレールの前寄り、いずれか他方がヘッドレールの後寄りに配置される。
【０００４】
【特許文献１】
特開２０００−２４０３７７号公報
【０００５】
【発明が解決しようとする課題】
しかしながら、かかる特許文献１に記載のように複数のコードがある場合に、それをヘッドレールの前寄りと後寄りにそれぞれ配置すれば、コード同士の干渉を防ぐことはできるが、それぞれのコードがヘッドレールの端部で折り返される所のその折り返し曲率半径が小さくなり、折り返しにおいて半径の小さな滑車を介さなければならないために、操作荷重が必然的に重くなるという問題がある。
【０００６】
本発明はかかる課題に鑑みなされたもので、その目的は、操作荷重を重くすることなく、２つのコードをヘッドレール内に配回し、ルーバーをヘッドレールの端部まで移動させることができる縦型ブラインドを提供することである。
【０００７】
【課題を解決するための手段】
前述した目的を達成するために、請求項１記載の発明は、ヘッドレール内を移動可能な複数のキャリアの各々からルーバーを吊下した縦型ブラインドにおいて、複数のキャリアのうち２つのキャリアが第１マスタキャリアと第２マスタキャリアとなっており、ヘッドレール内には、第１マスタキャリアを移動させるための無端状第１コードが配回しされると共に、該無端状第１コードの内側を第２マスタキャリアを移動させるための無端状第２コードが配回しされており、ヘッドレールの一端部において、無端状第１コードは転回式ガイドによって折り返される一方で、無端状第２コードは、該転回式ガイドの斜め下方または下方において、スロープ式ガイドによって下方へと傾斜してヘッドレールから導出されることを特徴とする。
【０００８】
無端状第１コードと無端状第２コードとは、それぞれ前後のコード部分の間隔を十分にとることができるように、限られたヘッドレールの内部の前後方向の寸法の中で、無端状第１コードが外側を、無端状第２コードが内側を通るようにして配回しされるために、無端状第１コード及び無端状第２コードのいずれの操作荷重も重くならず、それぞれの操作性を良好にすることができる。また、ヘッドレールの一端部において、無端状第１コードは転回式ガイドによって折り返されるように誘導され、無端状第２コードは、該転回式ガイドの斜め下方または下方において、スロープ式ガイドによって下方へと傾斜してヘッドレールから導出されるように誘導されるために、無端状第１コードと無端状第２コードとが干渉することが防止される。こうして、２つの無端状第１コードと無端状第２コードとをヘッドレール内に配回しすることができるために、各コードを単独に操作することにより、縦型ブラインドに様々な動作をさせることができる。
【０００９】
請求項２記載の発明は、請求項１記載のものにおいて、前記無端状第２コードは、前記スロープ式ガイドによってヘッドレール導出口まで誘導されており、該ヘッドレール導出口は、転回式ガイドの下部に配置されることを特徴とする。この構成により、ヘッドレール導出口を、ヘッドレールの最端部の近傍に配置することが可能になり、結果としてルーバーをヘッドレールの端部まで移動させることができるようになる。
【００１０】
請求項３記載の発明は、請求項１または２記載のものにおいて、前記ヘッドレール内において、無端状第１コードと無端状第２コードとは、高さ方向で互いにラップする高さに配置されることを特徴とする。この構成により、限られたヘッドレールの内部の空間を有効利用することができる。
【００１１】
請求項４記載の発明は、請求項１ないし３のいずれか１に記載のものにおいて、前記転回式ガイドは、無端状第１コードの折り返しを誘導する円弧部を有することを特徴とする。この構成により、無端状第１コードの折り返しを円滑に誘導することができる。
【００１２】
【発明の実施の形態】
以下、図面を用いて本発明の実施の形態を説明する。尚、以下の実施形態は本発明を限定するものではない。
【００１３】
図１は本発明の実施形態によるブラインドを表す全体斜視図である。図において、縦型ブラインドは、ブラケットによって窓枠や壁面等に固定されるヘッドレール１０を有しており、ヘッドレール１０内には長手方向にスライド移動可能に複数のキャリア１２が配列されている。各キャリア１２には、フックを介してルーバー１４が吊下げられている。
【００１４】
複数のキャリア１２の中で２つのキャリアがマスタキャリアとなっている。キャリアの中でのマスタキャリアの位置は任意であるが、この例では、最もヘッドレール１０の第１端部１０ａ側のキャリアが第１マスタキャリア１２Ａとなり、最もヘッドレール１０の第２端部１０ｂ側のキャリアが第２マスタキャリア１２Ｂとなっている。
【００１５】
図４は、第１マスタキャリア１２Ａ及び第２マスタキャリア１２Ｂを表す。マスタキャリア１２Ａ、１２Ｂのそれぞれには、一対の挿通孔１２ａと一対の挿通孔１２ｂとが形成されており、一対の挿通孔１２ａは外側に、一対の挿通孔１２ｂは内側に形成されている。そして、第１マスタキャリア１２Ａにおいては、一対の挿通孔１２ａの一方で無端状第１コード１６が連結されており、第２マスタキャリア１２Ｂにおいては、一対の挿通孔１２ｂの一方で無端状第２コード１８が連結される。
【００１６】
また、図５は、マスタキャリア以外のキャリア１２を表す。キャリア１２には、一対の挿通孔１２ｃと一対の挿通孔１２ｄとが形成されており、一対の挿通孔１２ｃは外側に、一対の挿通孔１２ｄは内側に形成されている。
【００１７】
図２及び図３に示すように、第１コード１６は、その一端が前述のように第１マスタキャリア１２Ａの挿通孔１２ａの一方に連結され、ヘッドレール１０の第２端部１０ｂの方へ向かってヘッドレール１０内を、マスタキャリア以外のキャリア１２の挿通孔１２ｃ及び第２マスタキャリア１２Ｂの挿通孔１２ａを挿通して、ヘッドレール１０の第２端部１０ｂのエンドユニット３０において、後述の転回式ガイド３２によって折り返された後、ヘッドレール１０の第１端部１０ａの方に向かって第２マスタキャリア１２Ｂの挿通孔１２ａ、キャリア１２の挿通孔１２ｃ及び第１マスタキャリア１２Ａの挿通孔１２ａの他方を挿通して、第１端部１０ａのコントロールユニット４０からヘッドレール１０外へと導出された後、折り返して、その他端が第１マスタキャリア１２Ａの挿通孔１２ａの一方に連結されている。ヘッドレール１０の第１端部１０ａから導出されて折り返される第１コード１６の部分は、第１操作部２０を構成する。第１操作部２０の折り返し部は錘２１を挿通している。
【００１８】
第２コード１８は、その一端が前述のように第２マスタキャリア１２Ｂの挿通孔１２ｂの一方に連結され、ヘッドレール１０の第１端部１０ａの方へ向かってヘッドレール１０内を、マスタキャリア以外のキャリア１２の挿通孔１２ｄ及び第１マスタキャリア１２Ａの挿通孔１２ｂを挿通して、ヘッドレール１０の第１端部１０ａのコントロールユニット４０において、転回式ガイド４２によって折り返された後、ヘッドレール１０の第２端部１０ｂの方に向かって第１マスタキャリア１２Ａの挿通孔１２ｂ、キャリア１２の挿通孔１２ｄ及び第２マスタキャリア１２Ｂの挿通孔１２ｂの他方を挿通して、第２端部１０ｂのエンドユニット３０のスロープ式ガイド３４によってヘッドレール１０外へと導出された後、折り返して、その端がが第２マスタキャリア１２Ｂの挿通孔１２ｂの一方に連結されている。ヘッドレール１０の第２端部１０ｂから導出されて折り返される第２コード１８の部分は、第２操作部２２を構成する。第２操作部２２の折り返し部は錘２３を挿通している。
【００１９】
このように第２コード１８は、第１コード１６の内側で配回しされて、その高さがほぼ同じ位置に、即ち、第１コード１６と第２コード１８とが高さ方向に互いにラップする高さに配置され、且つ、第１コード１６と第２コード１８とがヘッドレール１０内で互いに干渉しないようになっている。
【００２０】
図６は、第２端部１０ｂにおいて、第１コード１６と第２コード１８とが干渉しないように、第１コード１６をヘッドレール１０の端部で転回させて、第２コード１８をヘッドレール１０の端部から導出させるためのエンドユニット３０を表す。エンドユニット３０は、第１コード１６を転回させるための転回式ガイド３２と、第２コード１８をヘッドレール１０より導出させるためのスロープ式ガイド３４とを備えている。
【００２１】
転回式ガイド３２は、図８に示すように、挿通孔１２ａ、１２ｂと一致する位置に、導入口３２ａ、３２ａを有すると共に、第１コード１６を円滑に折り返すための円弧部３２ｂを有する。第１コード１６は、一方の導入口３２ａを通過して円弧部３２ｂにおいて折り返されて他方の導入口３２ａを通過する。
【００２２】
また、スロープ式ガイド３４は、図８及び図９に示すように、挿通孔１２ｃ、１２ｄと一致する位置に、導入口３４ａ、３４ａを有すると共に、第２コード１８を導入口３４ａから円滑に下方へと誘導するために導入口３４ａから下方へと傾斜したスロープ部３４ｂと、導出口３４ｃ、３４ｃとを有する。第２コード１８は、一方の導入口３４ａを通過してスロープ部３４ｂによって下方へと誘導されて導出口３４ｃからヘッドレール１０を導出した後、第２操作部２２となって折り返されて、他方の導出口３４ｃを通過して、他方のスロープ部３４ｂを通り、他方の導入口３４ａを通過する。
【００２３】
スロープ式ガイド３４は、転回式ガイド３２よりも下方または斜め下方に配置されており、好ましくは、その導出口３４ｃが転回式ガイド３２の下部、例えば、図９に示すように、導出口３４ｃが転回式ガイド３２の円弧部３２ｂの位置とほぼ一致するように設定されるとよい。これにより、第２コード１８のヘッドレール１０の導出位置が、ヘッドレール１０の最端部近傍に配置される。
【００２４】
また、図３に示すように、コントロールユニット４０は、第１端部１０ａにおいて、第２コード１８をヘッドレール１０の端部で転回させる転回式ガイド４２を備えている。また、コントロールユニット４０に設けられた導出口４４からは、第１コード１６がヘッドボックス１０から導出される。さらに、コントロールユニット４０には、ルーバー１４を回転させるために各キャリア１２を貫通するチルトロッド（図示省略）を回転させるための回転伝達機構が設けられるが、これらの回転伝達機構は転回式ガイド４２と導出口４４との間のスペースに配置される。
【００２５】
各キャリア１２は、スペーサリンク１５（図１参照）によって、第１マスタキャリア１２Ａまたは第２マスタキャリア１２Ｂを先頭として、且つ隣接するキャリア１２とスペーサリンク１５によって決まる所定間隔を最大間隔として連結される。
【００２６】
以上のように第１コード１６と第２コード１８が配回しされた縦型ブラインドにおいて、第１操作部２０を操作して、第１コード１６を所定の方向に引くと、第１コード１６は、転回式ガイド３２の円弧部３２ｂに沿って移動して、第１マスタキャリア１２Ａを、ヘッドレール１０の第２端部１０ｂの方へと牽引する。第１マスターキャリア１２Ａが移動すると、順次、他のキャリア１２を同じ方向へと押し出していくために、ルーバー１４が移動して、ヘッドレール１０の第２端部１０ｂ側に畳み込まれた状態となる。こうして、縦型ブラインドが設定された開口部を開放させることができて、眺望、外光の採り入れ等を行うことができるようになる。この状態から、第１操作部２０を反対方向に引くと、第１コード１６は、転回式ガイド３２の円弧部３２ｂに沿って移動して、第１マスターキャリア１２Ａをヘッドレール１０の第１端部１０ａの方へと牽引する。すると、スペーサリンク１５によって、順次、隣接する他のキャリア１２が、第１マスターキャリア１２Ａに牽引されて、同じ方向へと移動する。
【００２７】
同様に、第２操作部２２を操作して、第２コード１８を所定の方向に引くと、第２コード１８は、転回式ガイド４２に沿って移動して、第２マスタキャリア１２Ｂを、ヘッドレール１０の第１端部１０ａの方へと牽引する。第２マスターキャリア１２Ｂが移動すると、順次、他のキャリア１２を同じ方向へと押し出していくために、ルーバー１４が移動して、ヘッドレール１０の第１端部１０ａ側に畳み込まれた状態となる。こうして、縦型ブラインドが設定された開口部を開放させることができて、眺望、外光の採り入れ等を行うことができるようになる。この状態から、第２操作部２２を反対方向に引くと、第２コード１８は、転回式ガイド４２に沿って移動して、第２マスターキャリア１２Ｂをヘッドレール１０の第２端部１０ｂの方へと牽引する。すると、スペーサリンク１５によって、順次、隣接する他のキャリア１２が、第２マスターキャリア１２Ｂに牽引されて、同じ方向へと移動する。
【００２８】
このようにして、２つ操作部２０、２２のいずれかを操作することにより、所望の動作を縦型ブラインドにさせることができ、この際に、無端状第１コード１６と無端状第２コード１８とは、それぞれ前後のコード部分の間隔を十分にとることができるように、限られたヘッドレール１０の内部の前後方向の寸法の中で、第１コード１６が外側を、第２コード１８が内側を通るようにして配回しされて、それぞれ転回式ガイド３２、４２によってヘッドレール１０内で折り返される。このために、それぞれの転回式ガイド３２の円弧部３２ｂと転回式ガイド４２の曲率半径が小さくならずに、第１コード１６及び第２コード１８のいずれの操作荷重も重くならないで、それぞれの操作性を良好にすることができる。第１コード１６と第２コード１８とをほぼ同じ高さに配置することができて、限られたヘッドレール１０の内部の空間を有効利用することができる。
【００２９】
また、内側の第２コード１８がヘッドレール１０から導出される所では、転回式ガイド３２の下方にあるスロープ式ガイド３４によって誘導されるために、第１コード１６と干渉することはない。この転回式ガイド３２とスロープ式ガイド３４とが上下に立体的に配置されることにより、内側の第２コード１８がヘッドレール１０の最端部の近傍から導出することができ、操作部２０の位置をヘッドレール１０の最端部に配置させることができて、ルーバー１４を操作部２０と干渉することなくヘッドレール１０の端部まで移動させることができる。尚、第１コード１６がヘッドレール１０から導出される所では、第１コード１６が外側であるために、内側の第２コード１８の折り返しを誘導する転回式ガイド４２と干渉するおそれはない。
【００３０】
【発明の効果】
以上説明したように、本発明によれば、無端状第１コードと無端状第２コードとは、それぞれ前後のコード部分の間隔を十分にとることができるように、限られたヘッドレールの内部の前後方向の寸法の中で、無端状第１コードが外側を、無端状第２コードが内側を通るようにして配回しされるために、無端状第１コード及び無端状第２コードのいずれの操作荷重も重くならないで、それぞれの操作性を良好にすることができる。また、ヘッドレールの一端部において、無端状第１コードは転回式ガイドによって折り返されるように誘導され、無端状第２コードは、該転回式ガイドの斜め下方または下方において、スロープ式ガイドによって下方へと傾斜してヘッドレールから導出されるように誘導されるために、無端状第１コードと無端状第２コードとが干渉することが防止される。こうして、２つの無端状第１コードと無端状第２コードとをヘッドレール内に配回しすることができるために、各コードを単独に操作することにより、縦型ブラインドに様々な動作をさせることができる。
【図面の簡単な説明】
【図１】本発明の実施形態による縦型ブラインドを表す全体斜視図である。
【図２】本発明の実施形態の縦型ブラインドの説明図（ヘッドレール内は平面図、ヘッドレールより下は正面図）である。
【図３】ヘッドレール内のコードの配回しを表す説明図である。
【図４】マスタキャリアを表す図である。
【図５】マスタキャリア以外のキャリアを表す図である。
【図６】エンドユニットの斜視図である。
【図７】エンドユニットの図６の矢印７方向からの矢視図である。
【図８】図７の８−８線に沿って見た断面図である。
【図９】図７の９−９線に沿って見た断面図である。
【符号の説明】
１０  ヘッドレール
１２  キャリア
１２Ａ  第１マスタキャリア
１２Ｂ  第２マスタキャリア
１６  無端状第１コード
１８  無端状第２コード
３２  転回式ガイド
３２ｂ  円弧部
３４  スロープ式ガイド
３４ｃ  導出口
【図１】
2004346655.tif 000003
【図２】
2004346655.tif 000004
【図３】
2004346655.tif 000005
【図４】
2004346655.tif 000006
【図５】
2004346655.tif 000007
【図６】
2004346655.tif 000008
【図７】
2004346655.tif 000009
【図８】
2004346655.tif 000010
【図９】
2004346655.tif 000011